(57)【要約】【課題】測定された血圧値から算出されたＡＢＩの信憑性を評価する測定装置を提供する。【解決手段】測定装置１００は、上肢の血圧と下肢の血圧とを測定するための血圧測定部１０６と、上肢の脈波と下肢の脈波とを測定するための脈波測定部１０２と、上肢の血圧値と下肢の血圧値との比率を算出してＡＢＩを算出するための第１指標算出部１０８と、上肢の脈波と下肢の脈波とを用いて、ＡＢＩの判定に用いるための第２の指標を算出するための第２指標算出部１０４と、ＡＢＩと第２の指標とを用いてＡＢＩの信憑性を評価するための評価部１１０と、ＡＢＩを評価結果と共に出力させるための出力部４とを備える。【選択図】図２
2013094261.tif 000002
【特許請求の範囲】
【請求項１】
生体値を測定し、前記生体値から動脈狭窄の指標としてのＡＢＩ（Ankle Brachial Blood Pressure Index）を算出するための測定装置であって、
上肢に装着するための第１のカフと、
下肢に装着するための第２のカフと、
前記第１のカフの内圧を検出するための第１のセンサと、
前記第２のカフの内圧を検出するための第２のセンサと、
前記第１のカフおよび前記第２のカフそれぞれの内圧を調整するための調整装置と、
前記第１のセンサおよび前記第２のセンサと接続され、それぞれの検出値から前記生体値を測定し、前記生体値を用いて指標を算出する演算を実行するための演算装置と、
前記演算装置と接続され、前記演算装置での演算結果を出力するための出力装置とを備え、
前記演算装置は、
前記第１のセンサの検出値を用いて上肢の血圧を測定し、前記第２のセンサの検出値を用いて下肢の血圧を測定するための血圧測定手段と、
前記第１のセンサの検出値を用いて上肢の脈波を測定し、前記第２のセンサの検出値を用いて下肢の脈波を測定するための脈波測定手段と、
前記上肢の血圧値と前記下肢の血圧値との比率を算出してＡＢＩを算出するための第１の算出手段と、
前記上肢の脈波と前記下肢の脈波とを用いて、ＡＢＩの判定に用いるための指標である判定指標を算出するための第２の算出手段と、
前記第１の算出手段で算出された前記ＡＢＩと、前記第２の算出手段で算出された前記判定指標とを用いて前記ＡＢＩの信憑性を評価するための評価手段と、
前記出力装置に、前記ＡＢＩを前記評価手段での評価結果と共に出力させるための出力手段とを含む、測定装置。
【請求項２】
前記評価手段は、前記ＡＢＩと前記判定指標とのそれぞれについて、予め規定されている範囲内にあるか否かを判断することで前記ＡＢＩの信憑性を評価する、請求項１に記載の測定装置。
【請求項３】
前記評価手段は、前記ＡＢＩと前記判定指標とのいずれもが前記予め規定されている範囲内にある場合に前記ＡＢＩの信憑性を高いと評価し、そうでない場合に低いと評価する、請求項２に記載の測定装置。
【請求項４】
前記評価手段は、前記ＡＢＩが前記判定指標から予め規定されている範囲内にある場合に前記ＡＢＩの信憑性を高いと評価し、そうでない場合に低いと評価する、請求項１に記載の測定装置。
【請求項５】
前記判定指標は、脈波の先鋭度を表わす指標である％ＭＡＰ（正規化脈波面積）と、足首脈波の上昇特徴値を表わす指標であるＵＴ（ＵＴ：upstroke Time）と、脈振幅と、上肢から下肢への脈波の伝達関数である下肢上肢脈波伝達関数を表わす指標値とのうちの少なくとも１つを用いる、請求項１〜４のいずれかに記載の測定装置。
【請求項６】
前記判定指標は、％ＭＡＰと、ＵＴと、脈振幅と、下肢上肢脈波伝達関数を表わす指標値とのうちの２以上を組み合わせて算出される指標である、請求項５に記載の測定装置。
【請求項７】
前記判定指標は、下肢上肢脈波伝達関数を表わす指標値と、％ＭＡＰ、ＵＴ、および脈振幅のうちの少なくとも１つとを組み合わせて算出される指標である、請求項５に記載の測定装置。
【請求項８】
前記出力手段は、前記出力装置に、前記ＡＢＩと共に前記第２の算出手段で算出された前記ＡＢＩの推定値を出力させる、請求項１〜７のいずれかに記載の測定装置。
【請求項９】
生体値から算出された、動脈狭窄の指標としてのＡＢＩ（Ankle Brachial Blood Pressure Index）の信憑性を評価するための評価方法であって、
上肢の血圧値と下肢の血圧値との比率で算出されたＡＢＩを取得するステップと、
上肢の脈波と下肢の脈波とを用いて、ＡＢＩの判定に用いるための指標である判定指標を算出するステップと、
前記ＡＢＩと、前記判定指標とを用いて前記ＡＢＩの信憑性を評価するステップと、
出力装置に、前記ＡＢＩを前記評価結果と共に出力するステップとを含む、評価方法。
【請求項１０】
コンピュータに、生体値から算出された、動脈狭窄の指標としてのＡＢＩ（Ankle Brachial Blood Pressure Index）の信憑性を評価する処理を実行させるためのプログラムであって、
上肢の血圧値と下肢の血圧値との比率で算出されたＡＢＩを取得するステップと、
上肢の脈波と下肢の脈波とを用いて、ＡＢＩの判定に用いるための指標である判定指標を算出するステップと、
前記ＡＢＩと、前記判定指標とを用いて前記ＡＢＩの信憑性を評価するステップと、
出力装置に、前記ＡＢＩを前記評価結果と共に出力するステップとを前記コンピュータに実行させる、評価プログラム。
【発明の詳細な説明】
【技術分野】
【０００１】
この発明は測定装置、評価方法、および評価プログラムに関し、特に、ＡＢＩ（下肢上肢血圧指標：Ankle Brachial Blood Pressure Index）を算出する測定装置、その評価方法、および評価プログラムに関する。
【背景技術】
【０００２】
ＡＢＩ（下肢上肢血圧指標：Ankle Brachial Blood Pressure Index）は上肢血圧と下肢血圧との比率であって、動脈における狭窄の有無や狭窄度合いを表わす指標として用いられる。
【０００３】
たとえば特開２００４−２６１３１９号公報（以下、特許文献１）にも開示されているように、従来ＡＢＩは、血圧測定装置で仰臥位状態の被測定者の上肢および下肢それぞれから血圧を測定し、その血圧比を算出することで得られている。
【先行技術文献】
【特許文献】
【０００４】
【特許文献１】特開２００４−２６１３１９号公報
【発明の概要】
【発明が解決しようとする課題】
【０００５】
しかしながら、このような従来の測定方法では、動脈の石灰化が高度である場合に動脈の圧迫が不十分となり、精度よく血圧測定ができない場合がある。その結果、その血圧値を用いて算出されたＡＢＩの信憑性が低下するという問題があった。
【０００６】
また、不整脈による脈振幅の乱れや血管狭窄によって脈振幅が小さい場合にも、精度よく血圧測定ができない場合がある。そのため、その血圧値を用いて算出されたＡＢＩの信憑性が低下するという問題があった。
【０００７】
本発明はこのような問題に鑑みてなされたものであって、測定された血圧値から算出されたＡＢＩの信憑性を評価する測定装置、評価方法、および評価プログラムを提供することを目的としている。
【課題を解決するための手段】
【０００８】
上記目的を達成するために、本発明のある局面に従うと、測定装置は、生体値を測定し、前記生体値から動脈狭窄の指標としてのＡＢＩ（Ankle Brachial Blood Pressure Index）を算出するための測定装置であって、上肢に装着するための第１のカフと、下肢に装着するための第２のカフと、第１のカフの内圧を検出するための第１のセンサと、第２のカフの内圧を検出するための第２のセンサと、第１のカフおよび第２のカフそれぞれの内圧を調整するための調整装置と、第１のセンサおよび第２のセンサと接続され、それぞれの検出値から生体値を測定し、生体値を用いて指標を算出する演算を実行するための演算装置と、演算装置と接続され、演算装置での演算結果を出力するための出力装置とを備える。演算装置は、第１のセンサの検出値を用いて上肢の血圧を測定し、第２のセンサの検出値を用いて下肢の血圧を測定するための血圧測定手段と、第１のセンサの検出値を用いて上肢の脈波を測定し、第２のセンサの検出値を用いて下肢の脈波を測定するための脈波測定手段と、上肢の血圧値と下肢の血圧値との比率を算出してＡＢＩを算出するための第１の算出手段と、上肢の脈波と下肢の脈波とを用いて、ＡＢＩの判定に用いるための指標である判定指標を算出するための第２の算出手段と、第１の算出手段で算出されたＡＢＩと、第２の算出手段で算出された判定指標とを用いてＡＢＩの信憑性を評価するための評価手段と、出力装置に、ＡＢＩを評価手段での評価結果と共に出力させるための出力手段とを含む。
【０００９】
好ましくは、評価手段は、ＡＢＩと判定指標とのそれぞれについて、予め規定されている範囲内にあるか否かを判断することでＡＢＩの信憑性を評価する。
【００１０】
より好ましくは、評価手段は、ＡＢＩと判定指標とのいずれもが予め規定されている範囲内にある場合にＡＢＩの信憑性を高いと評価し、そうでない場合に低いと評価する。
【００１１】
好ましくは、評価手段は、ＡＢＩが判定指標から予め規定されている範囲内にある場合にＡＢＩの信憑性を高いと評価し、そうでない場合に低いと評価する。
【００１２】
好ましくは、判定指標は、脈波の先鋭度を表わす指標である％ＭＡＰ（正規化脈波面積）と、足首脈波の上昇特徴値を表わす指標であるＵＴ（ＵＴ：upstroke Time）と、脈振幅と、上肢から下肢への脈波の伝達関数である下肢上肢脈波伝達関数を表わす指標値とのうちの少なくとも１つを用いる。
【００１３】
より好ましくは、判定指標は、％ＭＡＰと、ＵＴと、脈振幅と、下肢上肢脈波伝達関数を表わす指標値とのうちの２以上を組み合わせて算出される指標である。
【００１４】
より好ましくは、判定指標は、下肢上肢脈波伝達関数を表わす指標値と、％ＭＡＰ、ＵＴ、および脈振幅のうちの少なくとも１つとを組み合わせて算出される指標である。
【００１５】
好ましくは、出力手段は、出力装置に、ＡＢＩと共に第２の算出手段で算出されたＡＢＩの推定値を出力させる。
【００１６】
本発明の他の局面に従うと、評価方法は、生体値から算出された、動脈狭窄の指標としてのＡＢＩ（Ankle Brachial Blood Pressure Index）の信憑性を評価するための評価方法であって、上肢の血圧値と下肢の血圧値との比率で算出されたＡＢＩを取得するステップと、上肢の脈波と下肢の脈波とを用いて、ＡＢＩの判定に用いるための指標である判定指標を算出するステップと、ＡＢＩと、判定指標とを用いてＡＢＩの信憑性を評価するステップと、出力装置に、ＡＢＩを評価結果と共に出力するステップとを含む。
【００１７】
本発明のさらに他の局面に従うと、評価プログラムは、コンピュータに、生体値から算出された、動脈狭窄の指標としてのＡＢＩ（Ankle Brachial Blood Pressure Index）の信憑性を評価する処理を実行させるためのプログラムであって、上肢の血圧値と下肢の血圧値との比率で算出されたＡＢＩを取得するステップと、上肢の脈波と下肢の脈波とを用いて、ＡＢＩの判定に用いるための指標である判定指標を算出するステップと、ＡＢＩと、判定指標とを用いてＡＢＩの信憑性を評価するステップと、出力装置に、ＡＢＩを評価結果と共に出力するステップとをコンピュータに実行させる。
【発明の効果】
【００１８】
この発明によると、測定された血圧値から算出されたＡＢＩの信憑性を、簡易に、かつ精度よく評価することができる。
【図面の簡単な説明】
【００１９】
【図１】実施の形態にかかる測定装置の構成の具体例を示す図である。
【図２】測定装置の機能構成の具体例を示すブロック図である。
【図３】ＡＢＩと％ＭＡＰとの相関関係を表わした図である。
【図４】ＡＢＩとＵＴとの相関関係を表わした図である。
【図５】ＡＢＩと脈振幅との相関関係を表わした図である。
【図６】ＡＢＩと脈波から算出された第２の指標であるＥＡＢＩとの相関関係を表わした図である。
【図７】図６のＰ１に示された測定値が測定された被測定者について詳しい測定結果を表わした図である。
【図８】図６のＰ２に示された測定値が測定された被測定者について詳しい測定結果を表わした図である。
【図９】図６のＰ３に示された測定値が測定された被測定者について詳しい測定結果を表わした図である。
【図１０】健常者の右足首（Ａ）および左足首（Ｂ）での脈波の測定結果を表わす図である。
【図１１】図１０（Ａ）の右足首で測定された脈波と右上腕で測定された脈波とから算出された右上腕−右足首でのステップ応答（右ステップ応答）を表わす図である。
【図１２】図１０（Ｂ）の左足首で測定された脈波と左上腕で測定された脈波とから算出された左上腕−左足首でのステップ応答（左ステップ応答）を表わす図である。
【図１３】図１１の右ステップ応答と図１２の左ステップ応答との比較を表わす図である。
【図１４】測定対象の閉塞性動脈硬化症患者の動脈状態を表わしたＸ線撮影写真である。
【図１５】図１４の患者の右上腕（Ａ）および右足首（Ｂ）での脈波の測定結果を表わす図である。
【図１６】図１４の患者の左上腕（Ａ）および左足首（Ｂ）での脈波の測定結果を表わす図である。
【図１７】図１５の右上腕および右足首で測定された脈波から算出された右ステップ応答を表わす図である。
【図１８】図１６の左上腕および左足首で測定された脈波から算出された左ステップ応答を表わす図である。
【図１９】図１７の右ステップ応答と図１８の左ステップ応答との比較を表わす図である。
【図２０】Ａｖｏｌｉｏモデルの模式図である。
【図２１】発明者らの算出に用いた、Ａｖｏｌｉｏモデルにおいて要素番号８２，１０４，１１１（図２０中の丸印）で表わされた区間に与えた狭窄度を表わす図である。
【図２２】発明者らの算出結果をグラフ化した図である。
【図２３】ステップ応答の区間で定義された、上側面積、上側面積／下側面積比、および区間最大値を説明するための図である。
【図２４】ＡＢＩと、ステップ応答の上側面積との相関関係を表わした図である。
【図２５】ＡＢＩと、ステップ応答の上側面積／下側面積比との相関関係を表わした図である。
【図２６】ＡＢＩと、ステップ応答の区間最大値との相関関係を表わした図である。
【図２７】ＡＢＩとＥＡＢＩとの相関関係を表わした図である。
【図２８】測定装置での動作の流れの具体例を表わすフローチャートである。
【図２９】図２８のステップＳ１１３での動作の具体例を表わしたフローチャートである。
【発明を実施するための形態】
【００２０】
以下に、図面を参照しつつ、本発明の実施の形態について説明する。以下の説明では、同一の部品および構成要素には同一の符号を付してある。それらの名称および機能も同じである。
【００２１】
＜装置構成＞
図１は、本実施の形態にかかる測定装置１００の構成の具体例を示す図である。
【００２２】
図１を参照して、測定装置１００は、情報処理ユニット１と、４つの検出ユニット２０ａｒ，２０ａｌ，２０ｂｒ，２０ｂｌと、４つのカフ２４ａｒ，２４ａｌ，２４ｂｒ，２４ｂｌとを含む。
【００２３】
カフ２４ｂｒ，２４ｂｌ，２４ａｒ，２４ａｌは、それぞれ被測定者２００の肢部に装着される。具体的には、それぞれ、右上腕（右上肢）、左上腕（左上肢）、右足首（右下肢）および左足首（左下肢）に装着される。なお、「肢部」とは、四肢に含まれる部位を表わし、手首や指尖部などであってもよい。カフ２４ａｒ，２４ａｌ，２４ｂｒ，２４ｂｌは、特に区別する必要がない限り、これらを総称して、「カフ２４」と呼ぶ。
【００２４】
検出ユニット２０ａｒ，２０ａｌ，２０ｂｒ，２０ｂｌは、それぞれ、被測定者２００の肢部の脈波を検出するために必要なハードウェアを含む。検出ユニット２０ａｒ，２０ａｌ，２０ｂｒ，２０ｂｌの構成は全て同様であってよいので、特に区別する必要がない限り、これらを総称して、「検出ユニット２０」と呼ぶ。
【００２５】
情報処理ユニット１は、制御部２と、出力部４と、操作部６と、記憶装置８とを含む。
制御部２は、測定装置１００全体の制御を行なう装置であり、代表的に、ＣＰＵ（Central Processing Unit）１０と、ＲＯＭ（Read Only Memory）１２と、ＲＡＭ（Random Access Memory）１４とを含むコンピュータで構成される。
【００２６】
ＣＰＵ１０は、演算処理部に相当し、ＲＯＭ１２に予め格納されているプログラムを読出して、ＲＡＭ１４をワークメモリとして使用しながら、当該プログラムを実行する。
【００２７】
また、制御部２には、出力部４、操作部６および記憶装置８が接続されている。出力部４は、測定された脈波や脈波解析結果などを出力する。出力部４は、ＬＥＤ（Light Emitting Diode）またはＬＣＤ（Liquid Crystal Display）などで構成される表示デバイスであってもよいし、プリンタ（ドライバ）であってもよい。
【００２８】
操作部６は、ユーザからの指示を受付ける。記憶装置８は、各種データやプログラムを保持する。制御部２のＣＰＵ１０は、記憶装置８に記録されたデータやプログラムの読み出しや書き込みを行なう。記憶装置８は、たとえば、ハードディスク、不揮発性メモリ（たとえば、フラッシュメモリ）、あるいは、着脱可能な外部記録媒体などにより構成されてよい。
【００２９】
ここで、各検出ユニット２０の構成について具体的に説明する。
検出ユニット２０ｂｒは、被測定者２００の右上腕に装着されたカフ２４ｂｒの内圧（以下、「カフ圧」という）の調整および検出を行なうことで、右上腕における脈波を検出する。カフ２４ｂｒは、図示のない流体袋（たとえば空気袋）を内包している。
【００３０】
検出ユニット２０ｂｒは、圧力センサ２８ｂｒと、調圧弁２６ｂｒと、圧力ポンプ２５ｂｒと、Ａ／Ｄ（analog to digital）変換部２９ｂｒと、配管２７ｂｒとを含む。カフ２４ｂｒと、圧力センサ２８ｂｒ，調圧弁２６ｂｒとは、配管２２ｂｒによって接続されている。
【００３１】
圧力センサ２８ｂｒは、配管２２ｂｒを介して伝達される圧力変動を検出するための検出部位であり、一例として、単結晶シリコンなどからなる半導体チップを用いて構成することができる。圧力センサ２８ｂｒによって検出された圧力変動信号は、Ａ／Ｄ変換部２９ｂｒによってデジタル信号に変換されて、脈波信号ｐｂｒ（ｔ）として制御部２に入力される。
【００３２】
調圧弁２６ｂｒは、圧力ポンプ２５ｂｒとカフ２４ｂｒとの間に介挿され、測定時にカフ２４ｂｒの加圧に用いられる圧力を所定の範囲に維持する。圧力ポンプ２５ｂｒは、制御部２からの検出指令に応じて作動し、カフ２４ｂｒを加圧するためにカフ２４ｂｒ内の流体袋（図示せず）に空気を供給する。
【００３３】
この加圧によって、カフ２４ｂｒは測定部位に押圧され、右上腕の脈波に応じた圧力変化がそれぞれ配管２２ｂｒを介して検出ユニット２０ｂｒへ伝達される。検出ユニット２０ｂｒは、この伝達される圧力変化を検出することで、右上腕の脈波を検出する。
【００３４】
検出ユニット２０ｂｌも同様に、圧力センサ２８ｂｌと、調圧弁２６ｂｌと、圧力ポンプ２５ｂｌと、Ａ／Ｄ変換部２９ｂｌと、配管２７ｂｌとを含む。カフ２４ｂｌと、圧力センサ２８ｂｌ，調圧弁２６ｂｌとは、配管２２ｂｌによって接続されている。
【００３５】
また、検出ユニット２０ａｒは、圧力センサ２８ａｒと、調圧弁２６ａｒと、圧力ポンプ２５ａｒと、Ａ／Ｄ変換部２９ａｒと、配管２７ａｒとを含む。カフ２４ａｒと、圧力センサ２８ａｒ，調圧弁２６ａｒとは、配管２２ａｒによって接続されている。
【００３６】
検出ユニット２０ａｌも同様に、圧力センサ２８ａｌと、調圧弁２６ａｌと、圧力ポンプ２５ａｌと、Ａ／Ｄ変換部２９ａｌと、配管２７ａｌとを含む。カフ２４ａｌと、圧力センサ２８ａｌ，調圧弁２６ａｌとは、配管２２ａｌによって接続されている。
【００３７】
検出ユニット２０ｂｌ，２０ａｒ，２０ａｌ内の各部の機能は、検出ユニット２０ｂｒと同様であるので、詳細な説明は繰返さない。また、検出ユニット２０内の各部についても、特に区別する必要がない限り、“ａｒ”，“ｂｒ”などの記号は省略して説明する。
【００３８】
なお、本実施の形態では、圧力センサ２８を用いて脈波を検出する構成について説明するが、動脈容積センサ（図示せず）を用いて脈波を検出する構成であってもよい。この場合、動脈容積センサは、たとえば、動脈に対して光を照射する発光素子と、発光素子によって照射された光の動脈の透過光または反射光を受光する受光素子とを含んでよい。あるいは、複数の電極を含み、被測定者２００の測定部位に微少の一定電流を流すとともに、脈波の伝播に応じて生じるインピーダンス（生体インピーダンス）の変化によって生じる電圧変化を検出するようにしてもよい。
【００３９】
＜動作概要＞
本実施の形態にかかる測定装置１００では、上肢および下肢で測定された血圧値から、第１の指標としてその比率であるＡＢＩ（下肢上肢血圧指標：Ankle Brachial Blood Pressure Index）を算出する。第１の指標は、動脈における狭窄の有無や狭窄度合いを表わす指標として用いられる。
【００４０】
ここで、上述のように、血圧値は動脈の石灰化の影響を受けやすいことが知られている。また、不整脈によって脈振幅が乱れたり、血管狭窄によって脈振幅が小さくなったりする場合もあり、これらの影響も受けやすいことが知られている。
【００４１】
これに対して、脈波は数拍分の波形に基づいて算出されるものであるため、このような影響を受け難い。そこで、測定装置１００では、上肢および下肢で測定された脈波から、第２の指標を算出し、第２の指標を用いて第１の指標として算出されたＡＢＩの信憑性を評価する。第２の指標は、ＡＢＩと比較し得る動脈狭窄の指標として用いられる。その内容については後述する。
【００４２】
測定装置１００は、その評価結果と共に、第１の指標として算出されたＡＢＩを出力する。
【００４３】
＜機能構成＞
図２は、上記動作を行なうための測定装置１００の機能構成の具体例を示すブロック図である。
【００４４】
図２に示される各機能は、ＣＰＵ１０がＲＯＭ１２に格納されているプログラムを読出してＲＡＭ１４をワークメモリとして使用しながら実行することで、主に、ＣＰＵ１０上に形成される機能である。しかしながら、少なくとも一部が、図１に示された装置構成や電気回路等のハードウェアで形成されてもよい。
【００４５】
図２を参照して、測定装置は、その機能として、調整部３０、脈波測定部１０２、上記第２の指標を算出するための第２指標算出部１０４、血圧測定部１０６、上記第１の指標を算出するための第１指標算出部１０８、評価部１１０、および出力部４を含む。
【００４６】
調整部３０は、カフ２４内の圧力を調整する機能部である。調整部３０の機能は、たとえば、図１に示した圧力ポンプ２５および調圧弁２６により達成される。
【００４７】
脈波測定部１０２は、調整部３０およびＡ／Ｄ変換部２９と接続され、各肢部における脈波（ＰＶＲ）を測定するための処理を行なう。脈波測定部１０２は、調整部３０に指令信号を与えることでカフ２４の内圧を調整するとともに、当該指令信号に応答して検出されたカフ圧信号Ｐａｒ（ｔ），Ｐａｌ（ｔ），Ｐｂｒ（ｔ），Ｐｂｌ（ｔ）を受信する。そして、受信したカフ圧信号Ｐａｒ（ｔ），Ｐａｌ（ｔ），Ｐｂｒ（ｔ），Ｐｂｌ（ｔ）を時系列に記録することで、肢部ごとに、複数拍分の脈波波形を取得する。脈波の測定は、たとえば所定時間（たとえば１０秒程度）行なわれる。
【００４８】
評価部１１０は、第２の指標を用いて、第１の指標であるＡＢＩの信憑性を評価する。そして、その結果を出力部４に渡す。
【００４９】
評価部１１０での評価方法としては、様々な方法が挙げられる。一例として、評価部１１０は予め、ＡＢＩの正常範囲、および第２の指標の正常範囲を記憶しており、算出されたＡＢＩおよび第２の指標をそれぞれ正常範囲と比較して、いずれも正常範囲にある場合にはＡＢＩの信憑性が高いと評価し、そうでない場合にはＡＢＩの信憑性が低いと評価する方法が挙げられる。
【００５０】
他の例として、算出されたＡＢＩおよび第２の指標を比較し、これらが一致、またはＡＢＩが第２の指標から所定範囲内にある場合にはＡＢＩの信憑性が高いものと判定し、そうでない場合にＡＢＩの信憑性が低いものと判定するものであってもよい。
【００５１】
ここで、上記第２の指標について説明する。
脈波を用いた動脈狭窄の指標としては、脈振幅の他、たとえば、％ＭＡＰ（正規化脈波面積）と言われる脈波の先鋭度を表わす指標が挙げられる。％ＭＡＰは、たとえば、脈波のピーク高さＨすなわち脈圧に対する、脈波面積を均等にならしたときの最低血圧からの高さＭの割合（＝Ｍ／Ｈ×１００）として算出される。動脈狭窄や動脈閉塞がある場合、％ＭＡＰの指標値は大きくなる。
【００５２】
また、ＵＴ（ＵＴ：upstroke Time）と言われる足首脈波の上昇特徴値を表わす指標が挙げられる。ＵＴは、立ち上がり点からピークまでの足首脈波が上昇する期間として算出される。動脈狭窄や動脈閉塞がある場合には上記期間が延長されるため、ＵＴの指標値は大きくなる。
【００５３】
発明者らは、これら指標と第１の指標であるＡＢＩとの相関性について検証を行なった。図３〜図５は、ＡＢＩと％ＭＡＰ、ＵＴ、および脈振幅との相関関係を表わした図である。この値は、成人男女２００人を対象としてそれぞれ血圧、脈波を測定して、ＡＢＩ、％ＭＡＰ、ＵＴ、および脈振幅を算出することで得られたものである。
【００５４】
図３〜図５より、％ＭＡＰ、ＵＴ、および脈振幅のいずれの指標もＡＢＩとある程度の相関があることが検証された。そのため、％ＭＡＰ、ＵＴ、および脈振幅のそれぞれを、第１の指標としてのＡＢＩの信憑性を評価するための第２の指標として用いることが可能であると考察される。または、より相関性を高めるため、％ＭＡＰ、ＵＴ、および脈振幅のうちの少なくとも２つを組み合わせて第２の指標として用いることも可能と考察される。
【００５５】
発明者らは、一例として、％ＭＡＰ（Ａ）、ＵＴ（Ｂ）、および脈振幅（Ｃ）のそれぞれの値に変換係数を乗じた値（ＥＡＢＩ）を第２の指標として算出し、この指標と第１の指標であるＡＢＩとの相関性について検証を行なった。すなわち、ＥＡＢＩ＝ａＡ＋ｂＢ＋ｃＣ＋ｄ（ａ〜ｄは係数）として第２の指標を算出し、この指標とＡＢＩとを比較した。図６は、ＡＢＩとＥＡＢＩとの相関関係を表わした図である。
【００５６】
図６より、％ＭＡＰ（Ａ）、ＵＴ（Ｂ）、および脈振幅（Ｃ）を組み合わせて算出した第２の指標はＡＢＩとある程度の相関があることが検証され、さらに、％ＭＡＰ、ＵＴ、および脈振幅それぞれ１つを用いた場合よりもＡＢＩとの相関性が高くなることも検証された。
【００５７】
なお、図６においてＰ１〜Ｐ３に示されたように、いくつか、回帰直線から大きく外れた測定値が存在する。図７〜図９は、Ｐ１〜Ｐ３に示された測定値が測定された被測定者について詳しい測定結果を表わした図である。図７〜図９においては、それぞれの被測定者に関して、右上腕血圧値および右足首血圧値から算出されたＡＢＩ（右ＡＢＩ）と、右足首血圧値から得られた最高血圧値、および右上腕と右足首とのそれぞれの脈波図が示されている。また、測定された脈波振幅の時間変化がグラフで表わされている。
【００５８】
図７の例では、脈波振幅の時間変化グラフが不完全な状態であり、右足首の血圧測定が正確にできていない可能性がある。また、図８および図９の例では脈波振幅の時間変化グラフがガタついており、右足首の血圧が正しく測定できていない可能性がある。
【００５９】
この検証より、回帰直線より大きく外れた測定値は、血圧測定が正しくできていない可能性がある。そのため、このような例を除くと、相関性がさらに高くなると考えられる。つまり、第２の指標として、％ＭＡＰ、ＵＴ、および脈振幅のうちのいずれか一つ以上を用いることが可能であることが検証された。
【００６０】
第２の指標となり得る他の指標として、上肢から下肢への脈波の伝達関数（下肢上肢脈波伝達関数）が考えられる。これは、上肢脈波を系（血管経路）への入力、下肢脈波を系からの出力とした伝達関数において、その系に血管狭窄があれば、ステップ応答に変化が現れると考えられるからである。すなわち、このステップ応答を第１の指標として算出されたＡＢＩの信憑性を評価することに用いることが可能と考えられる。
【００６１】
これを検証するため、発明者らは、実際に健常者および閉塞性動脈硬化症（ＡＳＯ：arteriosclerosis obliterans）患者それぞれの脈波を測定し、ステップ応答を算出した。
【００６２】
図１０は、健常者の右足首（Ａ）および左足首（Ｂ）での脈波の測定結果を表わしており、図１１および図１２は、それらと、左右上腕で測定された脈波とから算出された右上腕−右足首でのステップ応答（右ステップ応答）、左上腕−左足首でのステップ応答（左ステップ応答）を表わしている。これらを比較すると、図１３に示されるように、ほぼ同一であることが分かる。
【００６３】
図１４は、測定対象の閉塞性動脈硬化症患者の動脈状態を表わしたＸ線撮影写真である。図１４の丸印部分に動脈閉塞が見られる。
【００６４】
図１５は当該患者の右上腕（Ａ）および右足首（Ｂ）での脈波の測定結果を表わしており、図１６は左上腕（Ａ）および左足首（Ｂ）での脈波の測定結果を表わしている。そして、図１７および図１８は、図１５の右上腕および右足首で測定された脈波から算出された右ステップ応答、図１６の左上腕および左足首で測定された脈波から算出された左ステップ応答を表わしている。これらを比較すると、図１９に示されるように、大きく異なっていることが分かる。
【００６５】
つまり、このことより、左右のステップ応答の相関性が高いほど動脈の閉塞がなく、相関性が低いほど動脈硬化症の可能性が高い、と言える。
【００６６】
そこで、発明者らは、動脈狭窄の度合いとステップ応答の変化とを、循環系モデルを用いて算出した。ここで用いた循環系モデルは、生体を構成する血管を複数の区間に分割してモデル化したものである。このような循環系モデルの代表的なものとして、参考文献１「Avolio,A.P, Multi-branched Model of Human Arterial System, 1980, Med. & Biol. Engng. & Comp., 18,796」に記載されている、いわゆる「Ａｖｏｌｉｏモデル」が知られており、発明者らはこの演算に、循環系モデルとして、このＡｖｏｌｉｏモデルを採用した。
【００６７】
図２０は、Ａｖｏｌｉｏモデルの模式図である。
図２０を参照して、Ａｖｏｌｉｏモデルでは、全身の動脈を１２８の血管要素（区間）に分割し、各区間を代表する形状値を規定している。Ａｖｏｌｉｏモデルは、形状値として、各区間に対応付けられた、長さ・半径・管壁の厚さ・ヤング率を含む。
【００６８】
発明者らは、図２０のＡｖｏｌｉｏモデルにおいて要素番号８２，１０４，１１１（図２０中の丸印）で表わされた区間に様々な狭窄度での狭窄を発生させるようパラメータを設定し、ステップ応答変化を算出した。図２１は、発明者らの算出に用いた、Ａｖｏｌｉｏモデルにおいて要素番号８２，１０４，１１１（図２０中の丸印）で表わされた区間に与えた狭窄度を表わす図である。データＩＤ「８２／１０４／１１１−０」で表わされた狭窄度は、各区間に狭窄を与えておらず、健常者のステップ応答を算出するものである。データＩＤが大きくなるほど各区間に与える狭窄度が大きくなり、動脈硬化症が進んだ状態におけるステップ応答を算出するものとなる。
【００６９】
図２２は、算出結果をグラフ化したものである。図２２より、健常であるほど立ち上がりの傾きが大きく、いったん極大値に達した後に急速に値が減少するという変化が見られ、狭窄度が大きくなるほど上記立ち上がりが緩やかになり、極大値からの変化も小さくなることが分かる。
【００７０】
そこで、発明者らは、図２３に示されるようにステップ応答の区間で、上側面積、上側面積／下側面積比、および区間最大値の３つの値を定義し、これら３つの値が上記第２の指標となり得るか否かを検討した。
【００７１】
図２４〜図２６は、それぞれ、ＡＢＩと、上側面積、上側面積／下側面積比、および区間最大値との相関関係を表わした図である。このときの測定値も、図３〜図５に用いられた成人男女２００人を対象とした測定結果を用いている。
【００７２】
図２４〜図２６より、いずれの値もＡＢＩとある程度の相関があることが検証され、特に、上側面積がＡＢＩとの相関性が高いことが検証された。そこで、ステップ応答で得られる値は第２の指標として用いることが可能であり、特に、ステップ応答から算出される上側面積はＡＢＩの信憑性を評価するための第２の指標として用いることが可能であると考察される。または、より相関性を高めるため、上述の％ＭＡＰ、ＵＴ、脈振幅、およびステップ応答から算出される指標のうちの少なくとも２つを組み合わせて第２の指標として用いることも可能と考察される。
【００７３】
発明者らは、一例として、％ＭＡＰ（Ａ）、ＵＴ（Ｂ）、脈振幅（Ｃ）、およびステップ応答から算出される指標（上側面積）（Ｄ）のそれぞれの値に変換係数を乗じた値（ＥＡＢＩ）を第２の指標として算出し、この指標と第１の指標であるＡＢＩとの相関性について検証を行なった。すなわち、ＥＡＢＩ＝ａＡ＋ｂＢ＋ｃＣ＋ｄＤ＋ｅ（ａ〜ｅは係数）として第２の指標を算出し、この指標とＡＢＩとを比較した。図２７は、ＡＢＩとＥＡＢＩとの相関関係を表わした図である。
【００７４】
図２７より、％ＭＡＰ（Ａ）、ＵＴ（Ｂ）、脈振幅（Ｃ）、およびステップ応答から算出される指標（上側面積）（Ｄ）を組み合わせて算出した第２の指標はＡＢＩとかなり相関性が高いことが検証され、先に検証した、％ＭＡＰ、ＵＴ、および脈振幅それぞれ１つを用いた場合や、これらを組み合わせた場合よりも相関性が高いことが検証された。
【００７５】
なお、図２７においても、図６と同様に、Ｑ１〜Ｑ４に示されたような回帰直線から大きく外れた測定値が存在する。これらそれぞれについて測定結果を検証すると、いずれも、上述と同様に、血圧測定の信憑性が低いことがわかった。そのため、このような例を除くと、相関性がさらに高くなると考えられる。
【００７６】
＜動作フロー＞
図２８は、測定装置１００での動作の流れの具体例を表わすフローチャートである。図２８のフローチャートに表わされる動作は、ＣＰＵ１０がＲＯＭ１２に格納されているプログラムを読出してＲＡＭ１４をワークメモリとして使用しながら実行し、図２に示される各機能を発揮させることによって実現される。
【００７７】
図２８を参照して、ステップＳ１０１でＣＰＵ１０はカフ２４の加圧を開始し、所定カフ圧に達するとステップＳ１０３で減圧を開始する。この所定カフ圧は、少なくとも一般的な最高血圧値よりも高い圧力であり、予め規定されているものであってもよいし、加圧過程において推定される最高血圧値に所定圧力を加えた値であってもよい。
【００７８】
そして、ＣＰＵ１０はステップＳ１０５で、カフ２４の加圧過程におけるカフ圧変化に基づいて、上肢・下肢の血圧を測定し、ステップＳ１０７でこれらを用いて、第１の指標であるＡＢＩを算出する。
【００７９】
血圧が測定されると、ＣＰＵ１０はステップＳ１０９でカフ圧を脈波の測定に適した圧力に維持するためのホールド制御を行なう。この圧力としては、たとえば、５０〜６０ｍｍＨｇ程度の一定圧や、最低血圧値より５〜１０ｍｍＨｇ程度低い圧などが相当する。そして、ステップＳ１１１でＣＰＵ１０は、ホールド制御中のカフ圧変化に基づいて得られた脈波を分析し、ステップＳ１１３で第１の指標として算出されたＡＢＩの信憑性を評価するための第２の指標として用いる指標値を算出する。
【００８０】
ＣＰＵ１０は、予め、ＡＢＩの正常範囲、および第２の指標であるＥＡＢＩの正常範囲を記憶している。そして、上記ステップＳ１０７で算出されたＡＢＩおよび上記ステップＳ１１３で算出されたＥＡＢＩと記憶している正常範囲とを比較する。その結果、これらが共に正常範囲にある場合には（ステップＳ１１５でＹＥＳ）、ステップＳ１１９でＣＰＵ１０は、上記ステップＳ１０７で算出されたＡＢＩの信憑性が高いものと判定する。
【００８１】
一方、ＡＢＩとＥＡＢＩとのうちの一方でも正常範囲にない場合には、ステップＳ１１７でＣＰＵ１０は、上記ステップＳ１０７で算出されたＡＢＩの信憑性が低いものと判定する。
【００８２】
なお、ＡＢＩの信憑性の評価の他の例として、上記ステップＳ１０７で算出されたＡＢＩと上記ステップＳ１１３で算出されたＥＡＢＩとを比較し、ＡＢＩがＥＡＢＩと一致、または所定範囲内にある場合にはＡＢＩの信憑性が高いものと判定し、そうでない場合にＡＢＩの信憑性が低いものと判定するものであってもよい。
【００８３】
そして、ステップＳ１２１でＣＰＵ１０は、その判定結果と共に、第１の指標として算出されたＡＢＩを出力する。ここでの出力は、画面表示であってもよいし、ＰＣや外部記録媒体などの他の装置に送信するものであってもよい。また、このときの判定結果として、ＡＢＩの信憑性が高い、低いを表わすメッセージやマークと共にＡＢＩを出力するものであってもよいし、判定結果に応じた出力態様（たとえば表示態様）で出力するものであってもよいし、判定結果として、算出された第２の指標値と共に出力するものであってもよい。
【００８４】
なお、上記ステップＳ１１３での第２の指標の算出方法としては、様々な算出方法が挙げられる。なぜなら、上述のように、第２の指標値として、％ＭＡＰ、ＵＴ、脈振幅、および（たとえば上側面積などの）下肢上肢脈波伝達関数のうちのいずれか１つを用いてもよいし、２つ以上の組み合わせであってもよいからである。
【００８５】
図２９は、一例として、これらすべてを組み合わせて第２の指標値を算出する場合の、上記ステップＳ１１３での動作の具体例を表わしたフローチャートである。上述のように、このようにして算出された第２の指標は、第１の指標と高い相関性を有するため、高い精度で信憑性が判定されることになる。
【００８６】
図２９を参照して、ステップＳ２０１〜Ｓ２０７で、ＣＰＵ１０は、％ＭＡＰ（Ａ）、ＵＴ（Ｂ）、脈振幅（Ｃ）、および（たとえば上側面積などの）下肢上肢脈波伝達関数（Ｄ）を順に算出する。もちろん、この算出順は、図２９に表わされた順に限定されるものではない。
【００８７】
そして、ステップＳ２０９でＣＰＵ１０は、予め規定されている変換係数を用いて、第２の指標ＥＡＢＩ＝ａＡ＋ｂＢ＋ｃＣ＋ｄＤ＋ｅ（ａ〜ｅは係数）を算出する。
【００８８】
＜実施の形態の効果＞
測定装置１００において以上の動作が行なわれることで、動脈における狭窄の有無や狭窄度合いを表わす指標として算出されたＡＢＩの信憑性を、簡易な方法で判定することができる。そのため、ＡＢＩを用いて動脈における狭窄の有無や狭窄度合いを判断する医師等に、有用な判断材料を提供することになる。
【００８９】
ＡＢＩの信憑性を判定する基準として脈波から得られるいずれかの指標値（％ＭＡＰ、ＵＴ、脈振幅、および（たとえば上側面積などの）下肢上肢脈波伝達関数）を用いることでも精度よくＡＢＩの信憑性を判定することが可能であるが、これらを組み合わせることで、より精度よくＡＢＩの信憑性を判定することが可能である。さらに、発明者らの検証より、特に（たとえば上側面積などの）下肢上肢脈波伝達関数を用いる、または組み合わせることで、特に精度よくＡＢＩの信憑性を判定することが可能となる。
【００９０】
さらに、上述の第２の指標の算出や、第２の指標を用いたＡＢＩの信憑性の判定を測定装置１００、または測定装置１００からの値を用いてＰＣ（パーソナルコンピュータ）等の演算装置に実行させるためのプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９１】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００９２】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００９３】
提供されるプログラム製品は、ハードディスクなどのプログラム格納部にインストールされて実行される。なお、プログラム製品は、プログラム自体と、プログラムが記録された記録媒体とを含む。
【００９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９５】
１  情報処理ユニット、２  制御部、４  出力部、６  操作部、８  記憶装置、１２  ＲＯＭ、１４  ＲＡＭ、２０，２０ａｌ，２０ａｒ，２０ｂｌ，２０ｂｒ  検出ユニット、２２ａｌ，２２ａｒ，２２ｂｌ，２２ｂｒ，２７ａｌ，２７ａｒ，２７ｂｌ，２７ｂｒ  配管、２４，２４ａｌ，２４ａｒ，２４ｂｌ，２４ｂｒ  カフ、２５，２５ａｌ，２５ａｒ，２５ｂｌ，２５ｂｒ  圧力ポンプ、２６，２６ａｌ，２６ａｒ，２６ｂｌ，２６ｂｒ  調圧弁、２８，２８ａｌ，２８ａｒ，２８ｂｌ，２８ｂｒ  圧力センサ、２９，２９ａｌ，２９ａｒ，２９ｂｌ，２９ｂｒ  変換部、３０  調整部、１００  測定装置、１０２  脈波測定部、１０４  第２指標算出部、１０６  血圧測定部、１０８  第１指標算出部、１１０  評価部。
【図２】
2013094261.tif 000003
【図７】
2013094261.tif 000004
【図８】
2013094261.tif 000005
【図９】
2013094261.tif 000006
【図１０】
2013094261.tif 000007
【図１１】
2013094261.tif 000008
【図１２】
2013094261.tif 000009
【図１３】
2013094261.tif 000010
【図１５】
2013094261.tif 000011
【図１６】
2013094261.tif 000012
【図１７】
2013094261.tif 000013
【図１８】
2013094261.tif 000014
【図１９】
2013094261.tif 000015
【図２０】
2013094261.tif 000016
【図２１】
2013094261.tif 000017
【図２２】
2013094261.tif 000018
【図２３】
2013094261.tif 000019
【図２８】
2013094261.tif 000020
【図２９】
2013094261.tif 000021
【図１】
2013094261.tif 000022
【図３】
2013094261.tif 000023
【図４】
2013094261.tif 000024
【図５】
2013094261.tif 000025
【図６】
2013094261.tif 000026
【図１４】
2013094261.tif 000027
【図２４】
2013094261.tif 000028
【図２５】
2013094261.tif 000029
【図２６】
2013094261.tif 000030
【図２７】
2013094261.tif 000031